(57)【要約】【課題】糸付きの球が発射されたことを確実に検出することができる耐久性に優れたパチンコ遊技機の糸吊りゴト防止装置を提供する。【解決手段】パチンコ遊技機の球発射位置に球を供給する球供給装置１０と発射装置との間に、回動部材１４と、センサ２７とを設けた糸吊りゴト防止装置である。回動部材１４は、その本体の先端部に、糸付きの球が発射された際に糸を挟んで回動部材１４を回動させる糸挟み部１８を備え、また本体の後端部に被検出部２２を備える。センサ２６は糸付きの球が発射された際に、被検出部２２が所定位置まで移動したことを検出して警報を出力する機能を備える。【選択図】図２
2019033946.tif 000002
【特許請求の範囲】
【請求項１】
パチンコ遊技機の球供給装置と発射装置との間に、回動部材と、センサとを設けた糸吊りゴト防止装置であって、
前記回動部材は、糸付きの球が発射された際に糸を挟んで回動部材を回動させる糸挟み部と、被検出部とを備え、
前記センサは、糸付きの球が発射された際に、回動部材とともに被検出部が所定位置まで回動したことを検出して警報を出力する機能を備えたものであることを特徴とするパチンコ遊技機の糸吊りゴト防止装置。
【請求項２】
前記糸挟み部は回動部材の先端部に形成され、前記被検出部は回動部材の後端部に形成されたものであることを特徴とする請求項１に記載のパチンコ遊技機の糸吊りゴト防止装置。
【請求項３】
前記回動部材は、錘とストッパとを備え、正常遊技時は糸挟み部が球発射位置の上方の、発射される球と接触しない位置に保持されていることを特徴とする請求項１または２に記載のパチンコ遊技機の糸吊りゴト防止装置。
【請求項４】
前記センサは、近接センサであることを特徴とする請求項１に記載のパチンコ遊技機の糸吊りゴト防止装置。
【発明の詳細な説明】
【技術分野】
【０００１】
本発明は、「糸吊りゴト」と呼ばれる不正遊技を防止することができるパチンコ遊技機の糸吊りゴト防止装置に関するものである。
【背景技術】
【０００２】
「糸吊りゴト」と呼ばれる不正遊技は、パチンコの球に釣り糸のような丈夫な糸の一端を固定し、糸の他端を手元に保持したまま糸にゆとりを持たせて球をパチンコ遊技機に送り込み、糸付きの球を発射させて遊技領域に到達させる方法で行われる。球は盤面に糸で吊り下げられた状態となるので、外部から糸を操作して入賞口の球検出センサの位置で球を上下動させることにより、球検出センサを誤動作させることが可能となり、不正に賞球を得ることができる。
【０００３】
この「糸吊りゴト」を防止するために、パチンコ遊技機には従来から様々な対策が講じられてきた。例えば特許文献１には、球発射経路にスリットを配置し、糸付きの球が発射された際に糸をスリットの内部に導き、スリットの奥部に設けたマイクロスイッチのアクチュエータに接触させて「糸吊りゴト」を検出する構造が開示されている。
【０００４】
また特許文献２には、玉供給装置にシャッターを設け、糸付きの球が発射されると糸によってシャッターが閉まらなくなることをセンサで検出し、「糸吊りゴト」を発見する構造が開示されている。
【０００５】
しかし、特許文献１の装置は糸がスリットの奥部に達しないと確実に検出することができないという問題があった。また特許文献２の装置は、糸でシャッターを垂直に持ち上げる構造のため、糸とシャッターとは点で接触することとなる。このため、糸付きの球が発射されてもシャッターがこじって上手く持ち上がらず、確実に検出することができない可能性があった。
【先行技術文献】
【特許文献】
【０００６】
【特許文献１】特許第５３４６９９５号公報
【特許文献２】特許第５８５３２３８号公報
【発明の概要】
【発明が解決しようとする課題】
【０００７】
従って本発明の目的は上記した従来の問題点を解決し、糸付きの球が発射されたことを確実に検出することができる、パチンコ遊技機の糸吊りゴト防止装置を提供することである。
【課題を解決するための手段】
【０００８】
上記の課題を解決するためになされた本発明は、パチンコ遊技機の球供給装置と発射装置との間に、回動部材と、センサとを設けた糸吊りゴト防止装置であって、前記回動部材は、糸付きの球が発射された際に糸を挟んで回動部材を回動させる糸挟み部と、被検出部とを備え、前記センサは、糸付きの球が発射された際に、回動部材とともに被検出部が所定位置まで回動したことを検出して警報を出力する機能を備えたことを特徴とするものである。
【０００９】
なお、前記糸挟み部は回動部材の先端部に形成され、前記被検出部は回動部材の後端部に形成されたものであることが好ましい。また、前記回動部材は、錘とストッパとを備え、正常遊技時は糸挟み部が球発射位置の上方の、発射される球と接触しない位置に保持されていることが好ましい。また、前記センサは、近接センサであることが好ましい。
【発明の効果】
【００１０】
本発明の糸吊りゴト防止装置は、糸付きの球が発射された際に糸挟み部に糸が挟まって回動部材を回動させ、その動きをセンサが検出して警報を出力する構造である。本発明の糸吊りゴト防止装置は糸により回動部材を回転させる構造であるため、従来のようなこじりが発生することがなく、糸を確実に検出して警報を出力することができる。
【図面の簡単な説明】
【００１１】
【図１】パチンコ遊技機の全体図である。
【図２】実施形態の糸吊りゴト防止装置の背面斜視図である。
【図３】正常遊技時における糸吊りゴト防止装置の背面図である。
【図４】糸付きの球が発射されたときの糸吊りゴト防止装置の背面図である。
【図５】回動部材の拡大斜視図である。
【図６】図５の反対側から見た回動部材の拡大斜視図である。
【発明を実施するための形態】
【００１２】
以下に、本発明の実施形態を説明する。
図１は本発明の糸吊りゴト防止装置が組み込まれたパチンコ遊技機の全体図であり、１は遊技盤の片側に配置された内レール、２は外レール、３は内レール１の内側に形成された遊技領域である。４は内レール１と外レール２との間に形成される球発射経路であり、その下部の図示されていない球発射装置から球発射経路４に向かって発射された球は、内レール１の先端から遊技領域３内に飛び出すことは従来と同様である。
【００１３】
図１には記載されていないが、球発射装置は遊技盤の中央下部に設置されている。１０は球発射装置の球発射位置に、球を供給する球供給装置である。１１は上皿の球を球供給装置１０に供給する球供給部材であり、球供給装置１０は球供給部材１１から供給された球を図１の奥側に位置する球発射装置の球発射位置に、１球ずつ送り出す装置であり、それ自体は公知のものである。
【００１４】
図２以下に、球供給装置１０の拡大図を示す。ただし図２以下は球供給装置１０を裏面側から見た図面であるため、図１とは左右が反転しており、球の発射方向も逆向きである。図２、図３に示されるように、球供給装置１０のケース１２には、球を球発射位置に１球ずつ送り出すための球供給口１３が形成されており、球は図３に点Ｐとして示す球発射位置から、矢印方向に発射される。
【００１５】
球供給装置１０と発射装置との間には、樹脂製の回動部材１４が軸１５の周りに回転自在に設けられている。本実施形態では、回動部材１４は球供給装置１０のケース１２に設けられているが、発射装置側に設けることも可能であり、実施形態に限定されるものではない。回動部材１４は、図５、図６に示すように、軸受１６を備えた本体１７の先端部に、糸付きの球が発射された際に糸を挟んで回動部材１４を回動させるための糸挟み部１８を備えている。この糸挟み部１８は、２枚の平板部１９，２０を先端部がＵ字状に折れ曲がる形状に成形したものであり、片側の平板部１９が他方の平板部２０よりも下方に延びる形状である。これらの平板部１９，２０の間には糸を挟むための隙間が形成されている。なお隙間の上端は閉塞されている。
【００１６】
回動部材１４の上方部には、錘２１が形成されている。上記した糸挟み部１８及び錘２１の重量により回動部材は時計方向の回転モーメントを受け、図３に示すように正常遊技時には糸挟み部１８が下がった位置に保持されている。球は正常遊技時には図３に示される回動部材１４の手前側を通過するので、回動部材１４と接触することはない。
【００１７】
しかし糸付きの球が発射された際には、糸の他端は上皿を介して不正遊技者が持っているのであるから、糸は図３の紙面に対して垂直方向奥側に延びて球供給装置１０と図示されていない発射レールとを跨ぐこととなる。このため、糸はその間にある回動部材１４の糸挟み部１８にひっかかり、球が上向きに移動するとともに、回動部材１４は図４に示すように反時計方向に回動する。なお、糸と糸挟み部１８とは線接触となるが、回動部材は回転式の構造であるから、こじりを発生させることなく確実に回動させることができる。
【００１８】
回動部材１４の後端部には、被検出部２２が設けられている。この被検出部２２は鉄などの金属をアーム２３先端部に埋め込んだものである。ケース１２には回動部材１４の回動を検出するセンサ２６が設けられており、被検出部２２が図３に示す正常位置から、図４に示す位置まで回動したことを検出する。センサ２６としては非接触式の近接センサを用いることができるが、これに限定されるものではない。センサ２６は被検出部２２が図４の位置まで回転したことを検出したとき、外部に警報を発する機能を備えている。
【００１９】
なお、図５に示される２４はストッパであり、図３に示す正常状態において、ケース１２の被当接部２５に当接し、回動部材１４が図３の位置よりも時計方向に回動しないように維持している。
【００２０】
このように構成された本発明の糸吊りゴト防止装置は、正常遊技時には図３に示されるように回動部材１４は球発射位置の上方の、発射される球と接触しない位置にあり、球供給装置１０の球供給口１３から発射位置Ｐに送り出された球は、矢印のように発射される。しかし糸付きの球が発射されると、前記したように糸は回動部材１４の糸挟み部１８にひっかかり、球が上向きに移動するとともに、図４に示すように、回動部材１４は反時計方向に回動する。
【００２１】
この回動部材１４の回動により、回動部材１４の被検出部２２はセンサ２６から外れた位置まで移動するため、被検出部２２が所定位置まで移動したことをがセンサ２６により検知されると、センサ２６は警報を発し、不正遊技が行われたことをホール従業員に通報する。
【００２２】
このように、本発明の糸吊りゴト防止装置は、糸吊りゴトが行われた際には、こじりを生ずることなく、確実にこれを検出することができる。しかも正常遊技時には球と非接触であるから、耐久性にも優れるという利点がある。
【符号の説明】
【００２３】
１  内レール
２  外レール
３  遊技領域
４  球発射経路
１０  球供給装置
１１  球供給部材
１２  ケース
１３  球供給口
１４  回動部材
１５  軸
１６  軸受
１７  本体
１８  糸挟み部
１９  平板部
２０  平板部
２１  錘
２２  被検出部
２３  アーム
２４  ストッパ
２５  被当接部
２６  センサ
Ｐ  球発射位置
【図１】
2019033946.tif 000003
【図２】
2019033946.tif 000004
【図３】
2019033946.tif 000005
【図４】
2019033946.tif 000006
【図５】
2019033946.tif 000007
【図６】
2019033946.tif 000008